(57)【特許請求の範囲】
【請求項１】
開口部を有するパネル体と、前記開口部に設けられる面材と、この面材を前記パネル体の室内面側および室外面側から挟持する面材挟持部材とを備える建具であって、
前記開口部の下側で、かつ前記パネル体の内部には、前記面材と面材挟持部材との間に浸入する水を受けるとともに、前記パネル体の外部側に排水可能な排水溝が設けられ、
前記パネル体は、上框、下框および竪框により四周枠組みされるフレームと、このフレームの室内面および室外面に貼設されるパネルと、このパネル間に配置された断熱ボードとを有し、
前記排水溝は、前記開口部の下側に配置される前記断熱ボードの上面に形成され、
この断熱ボードの左右両端には、竪框が当接して設けられ、
これらの竪框は、前記排水溝で受けられる水を排出可能に形成され、
前記下框は、これらの竪框の下側に配置され、前記竪框から排出される水を受けて前記パネル体の外部側に排水可能な排水孔が形成されている建具。
【請求項２】
前記面材挟持部材は、室内面側から前記面材を保持する室内側保持部材と、室外面側から前記面材を保持する室外側保持部材と、これらの室内側保持部材および室外側保持部材の間に配置されて各保持部材を連結する取付部材とを有し、
前記取付部材は、所定間隔毎に取り付けられる短寸のピース状に形成されている請求項１に記載の建具。
【発明の詳細な説明】
【０００１】
【発明の属する技術分野】
本発明は、建物の玄関のドアや引戸等の通常の窓や出入口に開閉自在に設けられる建具に関する。
【０００２】
【背景技術】
図１に示すように、一部に採光性や意匠性等を確保するための開口部１１０Ａが形成されたパネル体１１０を備えるドア１００が知られている。
このようなドア１００では、図１１，１２に示すように、開口部１１０Ａに配置される面材としての複層ガラス１２０は、ねじ１３３で連結された室内側保持部材１３１および室外側保持部材１３２により、パネル体１１０の室内外の両面側から挟持されて保持されている。なお、意匠性を確保するため、室内側保持部材１３１には、ねじ１３３の頭部がドア１００の表面に露出しないように隠すためのカバー材１３４が取付られている。
【０００３】
【発明が解決しようとする課題】
しかしながら、従来のドア１００は、各保持部材１３１，１３２に対してねじ孔加工やねじ止め作業が必要になるため、生産性および組立作業性が悪いという問題があった。さらに、意匠性の確保のためにカバー材１３４を使用したので、比較的部材点数が多くなり製造コストが高くなるという問題もあった。
【０００５】
また、図１１に示すように、従来のドア１００では、室外面側の複層ガラス１２０に対して雨水等の水が当たると、複層ガラス１２０を伝って室外側保持部材１３２と複層ガラス１２０との間にその水が入り込むことがあった。
このため、室外側保持部材１３２のガラス保持溝の部分と下面とに排水用の孔１３５Ａ，１３５Ｂを設け、その孔１３５Ａ，１３５Ｂを介して、図１１の一点鎖線の矢印１３６に示す経路で排水を行っていた。
また、室内側保持部材１３１と室外側保持部材１３２との接合面から室内側に水が浸入しないように、接合面にスポンジを挟んだり、シーリング処理等を行って室内面側への漏水防止処理を行っていた。
【０００６】
しかしながら、このような排水構造では、デザイン性を向上するために複雑な断面形状で押出成形された室外側保持部材１３２に排水孔１３５Ａ，１３５Ｂを加工しなければならず、加工が煩雑であるという問題があった。
【０００７】
また、各保持部材１３１，１３２の接合面の漏水防止処理が必要となり、各保持部材１３１，１３２をねじ止めして組み立てる際の作業性が低下するという問題もあった。
さらに、作業者の熟練度等によっては、この漏水防止処理の品質を常に一定に確保できない場合があり、その際には、浸入してきた水が芯材１３７の上部に溜まらずに、図１１中の一点鎖線の矢印１３８に示す経路で、室内面側に漏水してしまうという問題もあった。
【０００８】
本発明の目的は、室内面側への漏水を確実にかつ容易に防止可能な建具を提供することにある。
【０００９】
【課題を解決するための手段】
本発明の建具は、開口部を有するパネル体と、前記開口部に設けられる面材と、この面材を前記パネル体の室内面側および室外面側から挟持する面材挟持部材とを備える建具であって、前記開口部の下側で、かつ前記パネル体の内部には、前記面材と面材挟持部材との間に浸入する水を受けるとともに、前記パネル体の外部側に排水可能な排水溝が設けられ、前記パネル体は、上框、下框および竪框により四周枠組みされるフレームと、このフレームの室内面および室外面に貼設されるパネルと、このパネル間に配置された断熱ボードとを有し、前記排水溝は前記開口部の下側に配置される前記断熱ボードの上面に形成され、この断熱ボードの左右両端には竪框が当接して設けられ、これらの竪框は前記排水溝で受けられる水を排出可能に形成され、前記下框はこれらの竪框の下側に配置され、前記竪框から排出される水を受けて前記パネル体の外部側に排水可能な排水孔が形成されていることを特徴とするものである。
【００１０】
このような構成によれば、例えば、室外面側の面材に雨水が当たって面材と室外側保持部材との間に雨水が浸入しても、開口部の下部に設けられた排水溝によりパネル体の外部へと雨水が排出されるので、室内面側への漏水を確実に防止できる。特に、短寸のピース状に形成された取付部材で、所定間隔毎に各保持部材同士を連結するために各保持部材間に隙間があるような場合でも、室内面側への漏水を確実に防止して室外側に排水できる。
【００１１】
また、例えば、複雑な断面形状で押出成形された室外側保持部材に排水用の孔加工をする場合にくらべて、パネル体は比較的単純な形状であるため、容易に排水加工ができる。
さらに、各保持部材間にスポンジを挟む等の漏水防止処理が不要なので作業性を向上できる。
【００１３】
さらに、排水溝で受けた水が竪框を通って下框に達し、その下框に形成された排水孔から排水できるので、パネル体の表面を伝って水が流れることがないから、パネル体の表面を拭く等の清掃作業を軽減するとともに、パネル体の意匠性および耐候性も確保できる。
また、断熱ボードの上面に排水溝を形成しているので、別途排水溝を構成する樋材などを用意する必要が無く、部品点数を軽減できてコストを低減できる。
【００１６】
また、前記面材挟持部材は、室内面側から前記面材を保持する室内側保持部材と、室外面側から前記面材を保持する室外側保持部材と、これらの室内側保持部材および室外側保持部材の間に配置されて各保持部材を連結する取付部材とを有し、前記取付部材は、所定間隔毎に取り付けられる短寸のピース状に形成されていることが好ましい。
【００２３】
【発明の実施の形態】
以下、本発明の一実施形態を図面に基づいて説明する。
【００２４】
本発明の建具である断熱ドア１は、図１に示すように、いわゆる片開きドアであり、建物の玄関開口部に設けられるドア枠２と、ドア枠２内に配置されるパネル構造体（戸板）３とを備えて構成され、主にパネル構造体３に断熱性が付与される。
【００２５】
ドア枠２は、図２または図３に示すように、それぞれアルミの押出形材からなる上枠２１、下枠２２および左右の縦枠２３を四周枠組みしビス止めされて形成される。
【００２６】
パネル構造体３は、図１〜図３に示すように、略中央部に開口部３１Ａを有するパネル体３１と、開口部３１Ａに設けられる面材としての複層ガラス３２と、パネル体３１の室内面側および室外面側から複層ガラス３２を挟持する面材挟持部材である額縁３３とを備える。
【００２７】
パネル体３１は、図２または図３に示すように、それぞれ断面コ字状のアルミ押出形材または鉄骨材等からなる上框３１１、下框３１２および左右２つの竪框３１３を四周枠組みし、その内側に補強用の竪框３１３Ａを含んで形成されるフレーム３１４と、このフレーム３１４の室内面および室外面に貼設されるパネルである鋼板３１７，３１８と、これらの鋼板３１７，３１８の間に配置されるペーパーハニカムコアやウレタン等の断熱性を有する芯材としての断熱ボード３１５と、上エッジ材３１９、下エッジ材３２０および左右の縦エッジ材３２１とを備え、その略中央部に複層ガラス３２を取り付けるための開口部３１Ａを有する。
そして、このペーパーハニカムコア等を含む断熱ボード３１５により、パネル体３１に断熱性能が付与され、パネル体３１での室内外側の熱伝導が行われにくくなっている。
【００２８】
左右の竪框３１３は、断面コ字状であり、図３中の右側に示すように、一方の竪框３１３の中空部にはドア枠２の縦枠２３に対して係脱する錠３２２が収容される。また、錠３２２を進退させて縦枠２３に係脱可能にするドアノブ３２３が設置され、これらの錠３２２およびドアノブ３２３は、竪框３１３にビス止めされている。また、図３中の左側に示すように、他方の竪框３１３には、縦エッジ材３２１を介してドア枠２との接続を行うヒンジ３２４がビス止めされている。
【００２９】
額縁３３は、図３の要部の拡大図である図４にも示すように、室内面側から複層ガラス３２を保持する室内側保持部材である内額縁３４と、室外面側から複層ガラス３２を保持する室外側保持部材である外額縁３５と、これらの額縁３４，３５の間に配置され各額縁３４，３５を連結する取付部材３６と、図２に示すように、この取付部材３６と同様に額縁３４，３５の間に配置され各額縁３４，３５を連結する一体型取付部材３７とを有する。
【００３０】
内額縁３４と外額縁３５との間には、図５に示すように、取付部材３６がパネル体３１の開口部３１Ａの左右両側に所定の間隔で７個ずつ配置され、一体型取付部材３７が、上下両側に１個ずつ配置される。
そして、内額縁３４と外額縁３５とは、図４に示すように、取付部材３６によって連結されて離隔しないように係止され、気密材３４０，３５０を介して複層ガラス３２を挟持している。
【００３１】
内額縁３４および外額縁３５は、アルミ押出形材からなる上額縁３４Ａ，３５Ａ、下額縁３４Ｂ，３５Ｂおよび２本の縦額縁３４Ｃ，３５ＣをＬ字形ブラケットを介して互いに４５度接合等することにより予め四周枠組みされている。
【００３２】
内額縁３４と外額縁３５とが対面する側（裏面側）において、内額縁３４には嵌合部としての室内側嵌合凹部３４１が形成され、外額縁３５にも嵌合部としての室外側嵌合凹部３５１が形成されている。
【００３３】
室内側嵌合凹部３４１は、爪部３４２を備えており、この爪部３４２には、自身の内部側に向かって傾斜する傾斜面３４２Ａが形成されており、後述する取付部材３６の室内側係止部３６１Ａを案内することにより嵌合し易くなっている。
【００３４】
一方、室外側嵌合凹部３５１も、爪部３５２を備えているが、この爪部３５２は、前述の爪部３４２のような傾斜面は備えておらず、パネル体３１の室内外面と平行に形成されている。
【００３５】
取付部材３６は、図６にも示すように、樹脂製であるとともに、内額縁３４を係止可能な室内側取付部材３６１と、外額縁３５を係止可能な室外側取付部材３６２とを備える。
【００３６】
室内側取付部材３６１には、室内側嵌合凹部３４１と嵌合し、かつ内額縁３４および外額縁３５が離隔する方向に動かないように係止可能な嵌合係止部である室内側係止部３６１Ａが形成されている。
【００３７】
これらの室内側係止部３６１Ａは、室内側嵌合凹部３４１の爪部３４２の傾斜面３４２Ａに沿うとともに、爪部３４２を案内する傾斜面３６１Ｂを有し、正確な嵌合部位から多少ずれていても室内側嵌合凹部３４１の爪部３４２を案内して嵌合するように形成される。
【００３８】
一方、室外側取付部材３６２には、室外側嵌合凹部３５１と嵌合し、かつ内額縁３４および外額縁３５が離隔する方向に動かないように係止可能な嵌合係止部である室外側係止部３６２Ａが形成されている。
室外側係止部３６２Ａは、室外側嵌合凹部３５１の爪部３５２を案内する傾斜面３６２Ｂを有し、正確な嵌合部位から多少ずれていても室外側嵌合凹部３５１の爪部３５２を案内して嵌合するように形成される。
【００３９】
また、図６において、室内側取付部材３６１と室外側取付部材３６２とは室内外方向と直交する方向である上下方向にスライドすることにより、着脱可能に形成されている。この際、室外側取付部材３６２の下端には、室内側取付部材３６１を下側から支持する支持部３６３が形成されている。これにより室内側取付部材３６１は、室外側取付部材３６２から下方向に外れないようになっている。
【００４０】
一体型取付部材３７は、図２に示すように、内額縁３４の室内側嵌合凹部３４１の爪部３４２に案内されて室内側嵌合凹部３４１に嵌合可能な嵌合突部３７１と、外額縁３５の室外側嵌合凹部３５１に嵌合および係止可能な嵌合係止部３７２とが一体成形されている。
【００４１】
嵌合突部３７１は、室内外方向に延長されて略板状に形成され、かつ互いに略平行に配置された２つの突片により構成されている。この嵌合突部３７１は、他の嵌合係止部３７２のように突起部分がないため、室内側嵌合凹部３４１の爪部３４２に係止されず、凹部３４１内に挿入されている。従って、嵌合突部３７１と室内側嵌合凹部３４１とは、互いを室内外方向に相対移動させるだけで、着脱できるようになっている。一方、嵌合係止部３７２は、前述の室外側係止部３６２Ａと全く同様に形成されて、室外側嵌合凹部３５１に係止されている。
【００４２】
また、複層ガラス３２は、下側の一体型取付部材３７に載置されており、一体型取付部材３７の高さ寸法で複層ガラス３２の高さ位置を調節している。
【００４３】
図２に示すように、開口部３１Ａの下部に配置された断熱ボード（芯材）３１５の上面には、排水溝３１５Ａが断熱ボード３１５の全長に渡って形成されている。この排水溝３１５Ａが形成された断熱ボード３１５の左右両端は、図７にも示すように、竪框３１３，３１３Ａに当接しており、下框３１２および下エッジ材３２０の下面には、断熱ボード３１５の室外側へと繋がる排水孔３１２Ａが形成されている。
【００４４】
このため、図２、図５および図７の一点鎖線の矢印４００の経路で示すように、複層ガラス３２および外額縁３５の間からパネル体３１の内部に浸入した雨水は、排水溝３１５Ａによって受けられ、竪框３１３の内部および下框３１２の上部を通って排水孔３１２Ａから確実に室外側へと排出される。
【００４５】
以下、本実施形態における複層ガラス３２を開口部３１Ａに取付ける方法を説明する。なお、一体型取付部材３７も取付部材３６と同様に取付けられるため、ここでは、説明を省略する。
図８に示すように、まず、予め外額縁３５の室外側嵌合凹部３５１に取付部材３６の室外側係止部３６２Ａとを嵌合させて装着しておく。
この外額縁３５をパネル体３１の室外面側の開口部３１Ａに挿入し、パネル体３１に両面テープ５１を用いて接着する。
【００４６】
次に、外額縁３５に気密材３４０を介して複層ガラス３２を配置し、パネル体３１の室内面側の開口部３１Ａに内額縁３４を挿入する。
その際、室内側係止部３６１Ａと室内側嵌合凹部３４１との嵌合部分は、内額縁３４の裏側になって視認できないが、室内側嵌合凹部３４１の爪部３４２に形成された傾斜面３４２Ａと、室内側係止部３６１Ａに形成された傾斜面３６１Ｂとにより、室内側嵌合凹部３４１と室内側係止部３６１Ａとが、正確な嵌合位置に案内される。
【００４７】
そして、図４に示すように、室内側係止部３６１Ａは、嵌合の際には自身の内側方向に変形し、嵌合した後にはバネ効果により元の位置に戻って嵌合される。この際、図８に示すように、図８中の距離Ｌ１よりもＬ２が大きくなるように形成するので、室内側係止部３６１Ａと室内側嵌合凹部３４１との係止はより強固なものとなる。なお、この嵌合強度は、例えば、室内側嵌合凹部３４１の爪部３４２間の間隔Ｌ１に対する室内側係止部３６１Ａ間の幅寸法Ｌ２を調整することなどで、適宜調整することができる。
また、内額縁３４には、気密性スポンジ５２が取り付けられ、この気密スポンジ５２をパネル体３１の室内面側に当接させて気密性を確保している。
以上のようにして、複層ガラス３２をパネル体３１に取り付ける。
【００４８】
また、例えば、複層ガラス３２の破損等により複層ガラス３２を交換したい場合には、図６に示すように、複層ガラス３２と外額縁３５との間に細長い治具４を差し込み、この治具４を上方に移動させて室内側取付部材３６１を上方へ移動させて、室内側取付部材３６１と室外側取付部材３６２とを外す。
この際、室内側取付部材３６１の室内側係止部３６１Ａは、内額縁３４の爪部３４２に対しても上方にスライド移動する。従って、治具４により室内側取付部材３６１のみが上方に移動する。
同様にして全ての室内側取付部材３６１を外せば、内額縁３４が開口部３１Ａから外れる。次に、破損した複層ガラス３２を取り除き、新しい複層ガラス３２を取り付け、外れた室内側取付部材３６１を外額縁３５に装着し、前述と同様に内額縁３４を取り付ける。このようにして複層ガラス３２を簡単に交換できる。
【００４９】
このような本実施の形態によれば、次のような効果が得られる。
（１）室内側嵌合凹部３４１の爪部３４２に傾斜面３４２Ａを形成し、室内側取付部材３６１の室内側係止部３６１Ａに傾斜面３６１Ｂを形成したので、室内側嵌合凹部３４１と室内側係止部３６１Ａとを嵌合する際に、室内側嵌合凹部３４１と室内側係止部３６１Ａとが正確な嵌合位置から多少ずれていても、傾斜面３４２Ａ，３６１Ｂに沿って自動的に正確な位置に補正されるため、室内側嵌合凹部３４１と室内側係止部３６１Ａとが視認できなくても簡単に嵌合できる。
【００５０】
（２）室内側係止部３６１Ａおよび室外側係止部３６２Ａにより、内額縁３４と外額縁３５とが離隔する方向に、額縁３４，３５同士を係止できるから、開口部３１Ａに額縁３４，３５を確実に取り付けることができる。ひいては、開口部３１Ａに複層ガラス３２を簡単かつ確実に挟持できる。
【００５１】
（３）内額縁３４と外額縁３５との間にスナップ（嵌合）方式で取り付けられる取付部材３６を設けて内額縁３４と外額縁３５とを連結したので、内額縁３４と外額縁３５とをねじ止めする必要がないから、組立作業の作業性を向上できる。そのうえ、ねじの頭部を隠すためのカバー材が不要なので、構成部材の点数を減少させて、製造コストおよび管理コストを抑えることができる。
【００５２】
（４）複層ガラス３２を交換する場合において、各嵌合凹部３４１，３５１と各係止部３６１Ａ，３６２Ａとの嵌合を外すことなく、各額縁３４，３５が分離されるので、開口部３１Ａから各額縁３４，３５を簡単に取り外して、複層ガラス３２を交換できる。そのうえ、ガラス３２の取り外し時に、各嵌合凹部３４１，３５１および各係止部３６１Ａ，３６２Ａの嵌合を外す必要がないので、その嵌合部分には比較的強固な嵌合構造を採用でき、複層ガラス３２の支持強度も向上できる。
【００５３】
（５）室内側取付部材３６１と室外側取付部材３６２とが上下にスライドして着脱可能なので、例えば、細長い治具４を用いて室内側取付部材３６１を上方に移動させれば、室内側取付部材３６１と室外側取付部材３６２とが外れ、内額縁３４が開口部３１Ａから簡単に外れるから、簡単に複層ガラス３２を交換できる。また、用途や目的に合わせて複層ガラス３２を他の意匠性の異なる面材等に任意に変更して、断熱ドア１の意匠性の向上を図ることもできる。
【００５４】
（６）室外側取付部材３６２に支持部３６３を形成したので、支持部３６３で室内側取付部材３６１を下側から支持すれば、室内側取付部材３６１に対して上方向への力を加えない限り、室外側取付部材３６２には常に下方向への重力が働いて室内側取付部材３６１と室外側取付部材３６２とが外れないから、額縁３３を開口部３１Ａに確実に取り付けることができる。さらに、摩擦力で室内側取付部材３６１および室外側取付部材３６２間の移動を規制する必要がないので、各取付部材３６１，３６２間の摩擦力を小さくでき、各取付部材３６１，３６２同士を小さな力でスライドさせて簡単に外すことができる。
【００５５】
（７）取付部材３６を熱伝導性の低い樹脂により形成したので、従来のように金属製の内額縁３４および外額縁３５が全周にわたって当接する場合に比べて、内額縁３４と外額縁３５との間の熱伝導を比較的抑えることができる。特に、短寸の取付部材３６を所定の間隔で配置し、内額縁３４と外額縁３５とを連結したので、連結した部分以外は内額縁３４と外額縁３５とは空気層を介して離れて配置され、より一層内額縁３４と外額縁３５との間の熱伝導を抑えることができる。これにより、断熱ドア１の断熱性をより向上できる。
【００５６】
（８）開口部３１Ａの下側に配置される断熱ボード３１５の上面に排水溝３１５Ａを設けたので、複層ガラス３２と外額縁３５との間に雨水が浸入しても、この雨水を排水溝３１５Ａで受けて、竪框３１３および下框３１２を介して排水孔３１２Ａからパネル体３１の外部へと排出できる。このため、室内側への漏水を確実に防止できる。
【００５７】
特に、本実施形態では、取付部材３６を短寸のピース状に形成し所定間隔毎に配置したため、額縁３４，３５の間に隙間が形成されるが、排水溝３１５Ａでこの雨水を全て受けられるので、室内面側への漏水を確実に防止して室外面側に排水できる。
【００５８】
（９）排水溝３１５Ａで受けた水が竪框３１３を通って下框３１２に達し、その下框３１２に形成された排水孔３１２Ａから排水できるので、パネル体３１の表面を伝って水が流れることがないから、パネル体３１の表面を拭く等の清掃作業を軽減できるとともに、パネル体の意匠性および耐候性も確保できる。
【００５９】
（１０）開口部３１Ａの下側に配置される断熱ボード３１５の上面に排水溝３１５Ａを設けたので、例えば、従来のような複雑な断面形状で押出成形された室外側保持部材に排水用の孔を施す場合に比べて、パネル体は比較的単純な形状であるため、容易に排水用の加工ができる。また、室内側保持部材および室外側保持部材間に、スポンジを挟む等の漏水防止処理が不要なので作業性を向上でき、かつ安価である。
【００６０】
（１１）さらに、芯材である断熱ボード３１５の上面に排水溝３１５Ａを形成したので、別途、排水溝を形成するための樋部材などを組み込む必要が無く、部品点数を少なくできてコストを低減できるとともに、組立作業性も向上できる。
【００６１】
なお、本発明は、前記実施の形態に限定されるものではなく、本発明の目的を達成できる範囲での変形、改良等は本発明に含まれるものである。
例えば、図９に示すように、開口部３１Ａの下側に設けられる断熱ボード３１５の上面に図９中点線で示すような排水溝３１５Ｂを形成し、この排水溝３１５Ｂの下側にパネル体３１の外部へと通じる２つの孔３７０が形成されてもよい。なお、これらの孔３７０は２つに限らず任意の数でよい。ただし、前記実施形態のほうが、加工が容易で製造しやすい利点がある。
【００６２】
また、本実施形態では、開口部３１Ａ下側の断熱ボード３１５の上面に排水溝３１５Ａを形成したが、開口部３１Ａの下側で断熱ボード３１５の上側に開口側を上にしたコ字状の框を、左右の竪框３１３に当設するように配置してもよい。このようにすれば、パネル体３１の剛性を高めることもできる。
【００６３】
また、本実施形態では、室内側嵌合凹部３４１の爪部３４２に傾斜面３４２Ａを形成し、室内側係止部３６１Ａにも傾斜面３６１Ｂを形成したが、室内側係止部３６１Ａのみに傾斜面を形成してもよく、つまりは室内側嵌合凹部３４１の爪部３４２および室内側係止部３６１Ａの少なくとも一方に傾斜面が形成されればよい。
なお、室外側においても同様に、室外側嵌合凹部３５１の爪部３５２および室外側係止部３６２Ａの少なくとも一方に傾斜面が形成されればよい。
【００６４】
さらに、傾斜面は、室内側の嵌合部位と室外側の嵌合部位との少なくとも一方に形成されればよい。例えば、室外側嵌合凹部３５１の爪部３５２のみに傾斜面が形成されてもよく、この場合、予め室内側の嵌合部位については、視認しながら嵌合しておき、その後、この傾斜面に案内されて室外側嵌合凹部３５１と室外側係止部３６２Ａとが嵌合されればよい。
【００６５】
各取付部材３６１，３６２の係止部３６１Ａ，３６２Ａの形状としては、前記実施形態の形状に限らない。例えば、図１０に示す室内側係止部３６１Ａのように、爪部３４２に接する突起部分が傾斜面３６１Ｂと同様に斜めに形成されたものでもよい。このような形状にすれば、係止部３６１Ａと爪部３４２との嵌合強度が向上し、より大きな耐風圧が加わっても外れないようにすることができる。
【００６６】
さらに、本実施形態では、開口部３１Ａの左右に７個ずつ取付部材３６を配置したが、７個に限らず額縁同士を確実に取り付けられれば任意の数でよい。その際、取付部材３６の大きさも開口部３１Ａの全長に渡る長さのものでもよい。つまり、開口部３１Ａの全長よりも短いものであれば任意の長さでよい。
【００６７】
また、パネル体３１の開口部３１Ａの上下側には、一体型取付部材３７ではなく前述の取付部材３６が配置されてもよい。
【００６８】
本実施形態では、芯材として断熱ボード３１５を使用したが、断熱性のない芯材が使用されてもよく、目的や用途に合わせて適宜変更すればよい。
また、面材として複層ガラス３２を使用したが、これに限らず、ガラスや意匠性の異なるパネル等の面材であれば任意のものでよい。
【００６９】
また、各額縁３４，３５は、アルミ製のものを使用したが、これに限らず樹脂製等のその他の材料で形成されたものであってもよい。その際、各額縁３４，３５は、予め枠組みされるものに限らず、各枠材を別々にパネル体３１に取り付けてもよい。
【００７０】
取付部材３６を樹脂製としたが、金属材等のその他の任意の材料で形成されてもよく、その際には、特に金属に比べて熱を伝導しにくい材料で構成することが好ましい。このようにすれば、内額縁３４と外額縁３５との熱の伝導を抑えることができる。
【００７１】
本実施形態では、上下方向にスライドして取付部材３６を分離可能としたが、室内側取付部材３６１と室外側取付部材３６２とのどちらか一方に、上下方向から室内外方向に連続するＬ字状の溝を設け、他方にこの溝に沿ってスライドする突起を設けて、上下方向にスライドし、さらに室内外方向にスライドすることにより分離可能としてもよい。
取付部材３６には、支持部３６３を設けたが、凹凸等の加工を施すことによりスライドする部分の摩擦力を大きくすれば、支持部３６３はなくてもよい。
【００７２】
本実施形態では、額縁３４，３５に嵌合部として嵌合凹部を設け、取付部材３６に嵌合係止部として係止部を設けたが、額縁３４，３５に嵌合部として係止部を設け、取付部材３６に嵌合係止部として嵌合凹部を設けてもよい。
また、取付部材３６は、本実施形態のように２つに分離できるものでなく一体型のものでもよい。この場合でも、従来のようなねじ止めに比べれば、取付け作業性等を向上できる。
但し、一体型の取付部材３６を用いた場合には、室内側保持部材、室外側保持部材である額縁３４，３５と、取付部材３６との嵌合を外して額縁３４，３５を分離しなければならないが、前記実施形態のように構成すれば、この嵌合を外すことなく各額縁３４，３５を分離できて、複層ガラス３２を外しやすい利点がある。
【００７３】
さらに、取付部材３６を、スライドなどで分離可能な室内側取付部材３６１と室外側取付部材３６２とで構成した場合には、各係止部３６１Ａ、３６２Ａや嵌合凹部３４１，３５１には必ずしも傾斜面を形成しなくてもよい。すなわち、予め各取付部材３６１，３６２を、各額縁３４，３５に嵌合しておき、その状態で各取付部材３６１，３６２を連結させるようにしてもよい。
但し、各取付部材３６１，３６２をスライドなどで分離可能にし、かつ係止部３６１Ａ、３６２Ａや嵌合凹部３４１，３５１に傾斜面を形成すれば、額縁３４の取付作業および取外作業の両作業を簡単に行えて断熱ドア１の組立時およびガラス３２の交換等の改装時の作業性を共に向上できる利点がある。
【００７４】
また、室内側への漏水を防止する構造としては、前記実施形態のように開口部３１Ａの下方に排水溝を形成したものに限らず、複層ガラス３２と気密材３４０との間から浸入した雨水を受ける排水溝を額縁３５部分に一体に形成し、額縁３５を介して室外側に排出するような構造を採用してもよい。
【００７５】
【発明の効果】
本発明の建具によれば、室内側保持部材もしくは室外側保持部材における嵌合係止部および嵌合部の少なくとも一方に傾斜部を形成したので、嵌合係止部と嵌合部とが正確な嵌合位置から多少ずれていても、傾斜部の傾斜面に沿って自動的に正確な位置に補正されるため、嵌合係止部と嵌合部との嵌合部分が視認できなくても簡単に嵌合できる。
【００７６】
また、本発明の建具によれば、室内側取付部材と室外側取付部材とを相対的にスライドして着脱可能にしたので、例えば、面材と室内側保持部材との間に細い治具等を差込み、室外側取付部材を保持しつつパネル体の上方向に室内側取付部材を移動させれば、室内側取付部材と室外側取付部材とを外して簡単に面材を交換できる。
【００７７】
さらに、本発明の建具によれば、面材と室外側保持部材との間に雨水が浸入しても、開口部の下部に設けられた排水溝によりパネル体の外部へと雨水が排出されるから、室内面側への漏水を確実に防止できる。
【図面の簡単な説明】
【図１】本実施形態に係る建具を示す外観図である。
【図２】本実施形態に係る建具を示す縦断面図である。
【図３】本実施形態に係る建具を示す横断面図である。
【図４】本実施形態に係る建具の要部を示す拡大横断面図である。
【図５】本実施形態に係る建具を示す外観図である。
【図６】本実施形態に係る取付部材を示す拡大斜視図である。
【図７】本実施形態に係る排水構造を示す拡大斜視図である。
【図８】本実施形態に係る建具の要部を示す拡大横断面図である。
【図９】本発明の変形例を示す外観図である。
【図１０】本発明の他の変形例を示す拡大横断面図である。
【図１１】従来の建具を示す縦断面図である。
【図１２】従来の建具を示す横断面図である。
【符号の説明】
１・・・建具である断熱ドア、３１・・・パネル体、３１Ａ・・・開口部、３２・・・面材である複層ガラス、３３・・・面材挟持部材である額縁、３４・・・室内側保持部材である内額縁、３５・・・室外側保持部材である外額縁、３６・・・取付部材、３７…一体型取付部材３１１・・・上框、３１２・・・下框、３１２Ａ・・・排水孔、３１３，３１３Ａ・・・竪框、３１４・・・フレーム、３１５Ａ，３１５Ｂ・・・排水溝、３４１・・・嵌合部である室内側嵌合凹部、３４２Ａ・・・傾斜部である傾斜面、３５１・・・嵌合部である室外側嵌合凹部、３６１・・・室内側取付部材、３６１Ａ・・・嵌合係止部である室内側係止部、３６１Ｂ・・・傾斜部である傾斜面、３６２・・・室外側取付部材、３６２Ａ・・・嵌合係止部である室外側係止部、３６２Ｂ・・・傾斜部である傾斜面、３６３・・・支持部。
【図１】
0003725034.tif 000002
【図２】
0003725034.tif 000003
【図３】
0003725034.tif 000004
【図４】
0003725034.tif 000005
【図５】
0003725034.tif 000006
【図６】
0003725034.tif 000007
【図７】
0003725034.tif 000008
【図８】
0003725034.tif 000009
【図９】
0003725034.tif 000010
【図１０】
0003725034.tif 000011
【図１１】
0003725034.tif 000012
【図１２】
0003725034.tif 000013